(57)【特許請求の範囲】
【請求項１】
工作機械において、ベッド上に設けられた１対のガイド部に沿って直線的に移動する移動体に接続された配線・配管を処理する装置であって、移動体の内部に回転自在に設けられた配線・配管巻取ドラムと、移動体の移動を配線・配管巻取ドラムに伝えて配線・配管巻取ドラムを回転させる伝動手段とを備えており、移動体の移動に伴う配線・配管巻取ドラムの回転によって、配線・配管巻取ドラムへの配線・配管の巻取りまたは配線・配管巻取ドラムに巻取られている配線・配管の繰り出しが行われるようになされている工作機械における配線・配管処理装置。
【請求項２】
伝動手段が、配線・配管巻取ドラムに、これと同軸上にかつこれと一体に回転するように設けられたピニオンと、両ガイド部間においてベッドに設けられかつピニオンと噛み合うラックとよりなる請求項１の工作機械における配線・配管処理装置。
【発明の詳細な説明】
【０００１】
【発明の属する技術分野】
この発明は、工作機械における直線的に移動する移動体に接続された配線・配管を処理する装置に関する。
【０００２】
この明細書において、「配線・配管」という用語は、配線と配管の総称として用いられ、配線・配管の処理装置には、配線だけを処理するもの、配管だけを処理するもの、配線と配管の両方を同時に処理するものがいずれも含まれる。
【０００３】
【従来の技術】
工作機械における直線的に移動する移動体には、種々の配線・配管が接続されている。なお、配管としてはフレキシブルパイプが用いられている。たとえば、旋盤の心押台には、心押台のクイルを駆動するための油圧配管や、クイルの位置を検出するリミットスイッチに接続される導線や、心押台をベッドに固定するためのクランプ機構への油圧配管や、クランプ機構による心押台の固定の確認をするリミットスイッチに接続される導線などが接続されている。また、旋盤の刃物台には、エアブローまたはエアシリンダ用のエア配管や、切削液配管や、潤滑油配管などが接続されている。
【０００４】
従来、これらの配線・配管は、その長さの中間部において工作機械の中の天井に吊持され、移動体の移動を吸収しうるように、所定長さの余剰部分が天井から垂下させられている。そして、移動体が直線的に移動した場合に、配線・配管の天井からの垂下長さが変化するようになっている。
【０００５】
【発明が解決しようとする課題】
しかしながら、従来のように配線・配管を処理する場合、配線・配管の天井から垂下した部分が作業の邪魔になるため、加工範囲など移動体の移動範囲からずれた位置において配線・配管を天井に吊持する必要があり、その結果工作機械が大型化し設置するためのフロアスペースが大きくなるという問題がある。
【０００６】
この発明の目的は、上記問題を解決し、工作機械による加工時に配線・配管が邪魔にならないようにしうる配線・配管処理装置を提供することにある。
【０００７】
【課題を解決するための手段と発明の効果】
この発明による工作機械における配線・配管処理装置は、工作機械において、ベッド上に設けられた１対のガイド部に沿って直線的に移動する移動体に接続された配線・配管を処理する装置であって、移動体の内部に回転自在に設けられた配線・配管巻取ドラムと、移動体の移動を配線・配管巻取ドラムに伝えて配線・配管巻取ドラムを回転させる伝動手段とを備えており、移動体の移動に伴う配線・配管巻取ドラムの回転によって、配線・配管巻取ドラムへの配線・配管の巻取りまたは配線・配管巻取ドラムに巻取られている配線・配管の繰り出しが行われるようになされているものである。
【０００８】
この発明の配線・配管処理装置によれば、移動体が直線的に移動すると、伝動手段の働きにより配線・配管巻取ドラムが回転し、これにより配線・配管巻取ドラムへの配線・配管の巻取りまたは配線・配管巻取ドラムに巻取られている配線・配管の繰り出しが行われる。そして、配線・配管の余剰部分は巻取ドラムに巻取られるので、工作機械による加工時に作業の邪魔になることはない。したがって、配線・配管の余剰部分を配するスペースが不要になり、その結果工作機械を設置するためのフロアスペースが小さくてすむ。しかも、配線・配管の巻取ドラムへの巻取りおよび巻取ドラムからの繰り出しに、専用の駆動源を必要としない。
【０００９】
この発明による工作機械における配線・配管処理装置において、伝動手段が、配線・配管巻取ドラムに、これと同軸上にかつこれと一体に回転するように設けられたピニオンと、両ガイド部間においてベッドに設けられかつピニオンと噛み合うラックとよりなることがある。この場合、比較的簡単な構成で、移動体の移動を配線・配管巻取ドラムに伝えて配線・配管巻取ドラムを回転させることができる。
【００１０】
【発明の実施形態】
以下、この発明の実施形態を、図面を参照して説明する。なお、この実施形態は、この発明による配線・配管処理装置を、旋盤の心押台に接続された配線・配管の処理に適用したものである。以下の説明において、図１の左側を前、右側を後といい、図２の左右を左右というものとする。
【００１１】
図１および図２において、旋盤の心押台(1)は、ベッド(2)上に設けられた左右方向にのびる前後１対のガイド部(3)に沿って直線的に移動するようになっている。心押台(1)の内部には、軸線が前後方向を向いた複数、ここでは２つの配線・配管巻取ドラム(4)が前後に並んで同軸上に設けられている。これらの巻取ドラム(4)は、心押台(1)の底壁(1a)上に相互に間隔をおいて設けられた前後１対のブラケット(5)に、軸線の周りに回転自在に支持されている。
【００１２】
ベッド(2)の前後ガイド部(3)間に左右方向にのびる配線・配管受け(6)が設けられており、この配線・配管受け(6)内に巻取ドラム(4)と同数の配線・配管(7)が配置されている。配線・配管(7)は、心押台(1)の底壁(1a)における両ブラケット(5)間の部分に形成された貫通穴(8)を通って巻取ドラム(4)に導かれて巻取られており、その先端が巻取ドラム(4)の連結部分(4a)に接続されている。なお、図示は省略したが、各巻取ドラム(4)およびブラケット(5)には、配線の場合には、心押台(1)に設けられているリミットスイッチなどに通電する導電部材が設けられ、配管の場合には、心押台(1)の所定部分に油圧などを送る流体通路が形成されている。
【００１３】
後側の巻取ドラム(4)の後端面に、ピニオン(9)が、巻取ドラム(4)と同軸上に位置しかつこれと一体に回転するように固定状に設けられている。ピニオン(9)の下方において、ベッド(2)には左右方向にのびるラック(10)が支持部材(11)を介して固定されるとともに、その上部が心押台(1)内に入り込んでおり、ピニオン(9)の歯とラック(10)の歯とが噛み合うようになっている。
【００１４】
このような旋盤において、心押台(1)が右方に移動すると、ラック(10)と噛み合っているピニオン(9)が図２に矢印Ａで示す方向に回転し、その結果巻取ドラム(4)も同方向に回転して配線・配管が巻取ドラム(4)に巻取られる。一方、心押台(1)が左方に移動すると、ラック(10)と噛み合っているピニオン(9)が図２に矢印Ｂで示す方向に回転し、その結果巻取ドラム(4)も同方向に回転して巻取ドラム(4)に巻取られている配線・配管が繰り出される。
【図面の簡単な説明】
【図１】この発明による配線・配管処理装置を備えた旋盤の一部分を示す部分切り欠き側面図である。
【図２】同じく部分切り欠き正面図である。
【符号の説明】
(1)：心押台（移動体）
(4)：配線・配管巻取ドラム
(7)：配線・配管
(9)：ピニオン
(10)：ラック
【図１】
0003663485.tif 000002
【図２】
0003663485.tif 000003